(57)【要約】【課題】露光感度を変えて手ぶれを防止する電子カメラを提供する。【解決手段】電子カメラは、撮影レンズがズームレンズであって（ステップＳ１２をＹ判定）、ズーム環の設定状態が所定値より高い光学倍率に対応する場合（ステップＳ１４をＮ判定）、もしくは、撮影レンズの焦点距離が所定値より高い光学倍率に対応する場合（ステップＳ２１をＮ判定）に、それぞれ撮像感度ＳＶを高く変更するとともにプログラム線図計算に用いるプログラム線図をシャッタ秒時（シャッタスピード）の高速側に変更する。これにより、レンズ絞り値ＡＶを変えることなく高速シャッタが用いられる。【選択図】図２
2004187077.tif 000002
【特許請求の範囲】
【請求項１】
撮影レンズを通して被写体像を撮像する撮像装置と、
前記撮影レンズの焦点距離を示す情報を検出するレンズ情報検出手段と、
前記撮像装置の露光感度を変更する感度変更手段と、
前記撮像装置の露光時間を変更するシャッタ手段と、
前記レンズ情報検出手段で検出された情報に応じて、前記焦点距離が長いほど前記露光感度を高く変更するとともに前記露光時間を短く変更するように、前記感度変更手段および前記シャッタ手段をそれぞれ制御する露光制御手段とを備えることを特徴とする電子カメラ。
【請求項２】
請求項１に記載の電子カメラにおいて、
前記撮影レンズは、ズームレンズであり、
前記レンズ情報検出手段は、前記ズームレンズのズーム環の調節状態を示す情報をさらに検出し、
前記露光制御手段は、前記レンズ情報検出手段で検出された情報に応じて、ズーム倍率が高いほど前記露光感度を高く変更するとともに前記露光時間を短く変更するように、前記感度変更手段および前記シャッタ手段をそれぞれ制御することを特徴とする電子カメラ。
【請求項３】
請求項１または２に記載の電子カメラにおいて、
前記撮像装置による撮像画像を拡大処理する電子ズーム手段と、
前記電子ズーム手段による拡大倍率を示す情報を検出する電子ズーム情報検出手段とをさらに備え、
前記露光制御手段は、前記電子ズーム情報検出手段で検出された情報に応じて、電子ズーム倍率が高いほど前記露光感度を高く変更するとともに前記露光時間を短く変更するように、前記感度変更手段および前記シャッタ手段をそれぞれ制御することを特徴とする電子カメラ。
【請求項４】
撮影レンズを通して被写体像を撮像する撮像装置と、
前記撮影レンズの距離環の調節状態を示す情報を検出するレンズ情報検出手段と、
前記撮像装置の露光感度を変更する感度変更手段と、
前記撮像装置の露光時間を変更するシャッタ手段と、
前記レンズ情報検出手段で検出された情報に応じて、撮影距離が長いほど前記露光感度を高く変更するとともに前記露光時間を短く変更するように、前記感度変更手段および前記シャッタ手段をそれぞれ制御する露光制御手段とを備えることを特徴とする電子カメラ。
【発明の詳細な説明】
【０００１】
【発明の属する技術分野】
本発明は、撮像装置によって被写体像を撮像する電子カメラに関する。
【０００２】
【従来の技術】
カメラで適正な露出量を得るために、撮影レンズの絞り値ＡＶ，シャッタ秒時（露光時間）ＴＶ，被写体輝度ＢＶ，および露光感度ＳＶを用いて、次式（１）による露出演算を行うアペックス演算が知られている。
【数１】
ＥＶ＝ＡＶ＋ＴＶ＝ＢＶ＋ＳＶ                        （１）
ただし、ＥＶは露出量である。銀塩カメラの場合は、使用するフィルムの感度でＳＶが決定されるので、被写体輝度ＢＶに応じて絞り値ＡＶおよびシャッタ秒時ＴＶが演算される。電子カメラの場合は、撮像装置のゲインが変えられるので（たとえば、特許文献１参照）、撮像装置のゲイン、すなわち露光感度（撮像感度）ＳＶが変更可能にされている場合に、被写体輝度ＢＶに応じて絞り値ＡＶ、シャッタ秒時ＴＶ、ならびに撮像感度ＳＶを決定できる。
【０００３】
【特許文献１】
特開平１１−１５０６７９号公報
【０００４】
【発明が解決しようとする課題】
特許文献１に記載のカメラでは、露出演算によって得られた絞り値ＡＶもしくはシャッタ秒時ＴＶがそれぞれの制御限界を超えると露光感度ＳＶが変更される。つまり、露光感度ＳＶの変更は露出不足を補うために行われるので、シャッタ秒時ＴＶが可変のカメラは低輝度の状態でシャッタ秒時ＴＶが低速に設定されやすい。このため、撮影レンズの種類やレンズ設定の状態によって手ぶれが生じやすくなることがある。とくに、望遠レンズで撮影倍率が高いとき、撮影距離が遠い場合には手ぶれが生じやすい。
【０００５】
本発明は、露光感度可変の電子カメラで手ぶれを防止するようにしたものである。
【０００６】
【課題を解決するための手段】
本発明による電子カメラは、撮影レンズを通して被写体像を撮像する撮像装置と、撮影レンズの焦点距離を示す情報を検出するレンズ情報検出手段と、撮像装置の露光感度を変更する感度変更手段と、撮像装置の露光時間を変更するシャッタ手段と、レンズ情報検出手段で検出された情報に応じて、焦点距離が長いほど露光感度を高く変更するとともに露光時間を短く変更するように、感度変更手段およびシャッタ手段をそれぞれ制御する露光制御手段とを備えることを特徴とする。
上記撮影レンズは、ズームレンズで構成してもよい。この場合のレンズ情報検出手段は、ズームレンズのズーム環の調節状態を示す情報をさらに検出し、露光制御手段は、レンズ情報検出手段で検出された情報に応じて、ズーム倍率が高いほど露光感度を高く変更するとともに露光時間を短く変更するように、感度変更手段およびシャッタ手段をそれぞれ制御することもできる。
電子カメラはさらに、撮像装置による撮像画像を拡大処理する電子ズーム手段と、電子ズーム手段による拡大倍率を示す情報を検出する電子ズーム情報検出手段とを備えてもよい。この場合の露光制御手段は、電子ズーム情報検出手段で検出された情報に応じて、電子ズーム倍率が高いほど露光感度を高く変更するとともに露光時間を短く変更するように、感度変更手段およびシャッタ手段をそれぞれ制御することもできる。
本発明による電子カメラは、撮影レンズを通して被写体像を撮像する撮像装置と、撮影レンズの距離環の調節状態を示す情報を検出するレンズ情報検出手段と、撮像装置の露光感度を変更する感度変更手段と、撮像装置の露光時間を変更するシャッタ手段と、レンズ情報検出手段で検出された情報に応じて、撮影距離が長いほど露光感度を高く変更するとともに露光時間を短く変更するように、感度変更手段およびシャッタ手段をそれぞれ制御する露光制御手段とを備えることを特徴とする。
【０００７】
【発明の実施の形態】
以下、図面を参照して本発明の実施の形態を説明する。
図１は、本発明の一実施の形態による電子カメラの構成を説明するブロック図である。図１において、演算回路１０１は、マイクロコンピュータなどによって構成される。演算回路１０１は、後述する各ブロックから出力される信号を入力して所定の演算を行い、演算結果に基づいて制御信号を各ブロックへ出力する。撮像素子１０２は、ＣＣＤイメージセンサなどで構成される。ＣＣＤイメージセンサを構成する各素子は、入射された光の強さに応じてそれぞれ電荷を蓄積する。
【０００８】
撮像素子１０２は、撮影レンズＬを通過した被写体光による像を撮像し、蓄積電荷を撮像信号として出力する。撮像信号は、不図示のアナログ信号処理回路でノイズ除去処理や増幅処理が施され、Ａ／Ｄ変換回路１０３へ送られる。Ａ／Ｄ変換回路１０３は、アナログ撮像信号をディジタル信号に変換する。撮像素子１０２およびＡ／Ｄ変換回路１０３は、タイミング回路１０４から出力される駆動信号によって所定の動作タイミングで駆動される。
【０００９】
画像処理回路１０５は、ＡＳＩＣなどによって構成される。画像処理回路１０５は、ディジタル変換後の画像データにホワイトバランス処理などの画像処理を行う他、画像を構成するデータの読出しレートを変えることによって電子的に画像の倍率を変化させる電子ズーム処理、画像処理後の画像データを所定の形式で圧縮する圧縮処理、圧縮された画像データを伸長する伸長処理などを行う。
【００１０】
バッファメモリ１０６は、画像処理回路１０５で画像処理される画像データを一時的に格納する。たとえば、電子ズーム処理の際には、電子ズーム処理を行う前の画像データと、電子ズーム処理を行った後の画像データをそれぞれ格納する。
【００１１】
記録媒体１０７は、カメラに対して着脱可能なメモリカードなどによって構成される。記録媒体１０７には、画像処理後の画像データが記録される。レリーズスイッチＳＷ１は、不図示のレリーズ操作ボタンに連動してレリーズ操作信号を演算回路１０１に出力する。
【００１２】
測光装置１０８は、被写体輝度を検出し、検出信号を演算回路１０１に出力する。焦点検出装置１０９は、撮影レンズＬによる焦点位置の調節状態を検出し、検出信号を演算回路１０１へ出力する。レンズ駆動装置１１０は、演算回路１０１の指令により撮影レンズＬの不図示のフォーカスレンズを光軸方向に進退駆動し、撮影レンズＬの焦点位置を調節する。
【００１３】
設定操作部材１１１は、電子カメラに対する設定操作を行うスイッチであり、設定操作に応じた操作信号を演算回路１０１へ出力する。設定操作には、シャッタ速度（シャッタ秒時）の設定操作、レンズ絞り値の設定操作、撮像感度の設定操作、および電子ズーム倍率の変更操作が含まれる。表示装置１１２は、シャッタ速度、絞り値などの撮影情報や、適正露出か否かの露出情報などを表示する他、画像データによる画像を表示する。
【００１４】
モータ制御回路１１３は、演算回路１０１の指令によってシーケンスモータ１１４を駆動制御する。シーケンスモータ１１４は、不図示のシーケンス駆動装置を構成し、撮影時に不図示のミラーのアップ／ダウン、不図示の絞りの駆動、およびシャッタ１１６のチャージなどを行う。シーケンススイッチＳＷ２は、上述したシーケンス駆動装置を構成し、シーケンスモータ１１４のブレーキ制御タイミングなどを発生するスイッチである。
【００１５】
シャッタ制御回路１１５は、シャッタ１１６の不図示の先幕および後幕の保持および解除をそれぞれ制御する。絞り位置検出装置１１７は、絞り値に対応する絞り位置を検出して検出信号を演算回路１０１に出力する。絞り係止装置１１８は、駆動中の絞りを係止し、所定の絞り値で絞りを停止させる。
【００１６】
レンズ情報検出装置１１９は、演算回路１０１からの指令により、撮影レンズＬの距離環の設定状態を示す信号、撮影レンズＬの焦点距離を示す信号、および撮影レンズＬのズーム環の設定状態を示す信号を、それぞれ撮影レンズＬから入力して演算回路１０１へ送る。焦点距離を示す情報は、当該撮影レンズＬがズームレンズか固定焦点レンズかを示す情報を含む。演算回路１０１は、電子カメラがフォーカス調節されるとき、レンズ情報検出装置１１９からの入力信号が示す距離環の設定状態から主要被写体までの距離（撮影距離）を得る。演算回路１０１は、撮影レンズＬが固定焦点レンズのとき、レンズ情報検出装置１１９からの入力信号が示す焦点距離から撮影倍率を得る。演算回路１０１は、撮影レンズＬがズームレンズのとき、レンズ情報検出装置１１９からの入力信号が示すズーム環の設定状態からズーム倍率を得る。
【００１７】
上記レンズ情報検出装置１１９は、撮影レンズＬからの情報を電気信号として受け取るものでもよいし、撮影レンズＬの設定状態をエンコーダなどを用いて検出するものでもよい。
【００１８】
本発明による電子カメラは、撮影レンズＬの光学倍率や電子ズーム倍率が高い状態で、シャッタ速度を速くするとともに撮像感度を高くするようにしたものである。撮像感度とは、上述した撮像素子１０２によって蓄積される信号電荷の検出感度、もしくはＡ／Ｄ変換回路１０３の前に配設される不図示の増幅回路の増幅利得を変化させる被制御量のことをいう。撮像感度は、相当するＩＳＯ感度値で示される。
【００１９】
以上説明した電子カメラで行われる露出演算について説明する。電子カメラは、次の▲１▼〜▲４▼の露出モードを有する。
▲１▼あらかじめプログラムされている撮影条件に応じてレンズ絞り値およびシャッタ秒時を制御するプログラムＡＥ
▲２▼設定されているレンズ絞り値を優先してシャッタ秒時を制御する絞り優先ＡＥ▲３▼設定されているシャッタ秒時を優先してレンズ絞り値を制御するシャッタ優先ＡＥ
▲４▼設定されているレンズ絞り値およびシャッタ秒時で露出演算するマニュアルモードである。
これらの露出モードは、設定操作部材１１１を構成する不図示のモード設定ダイアルにより切り換えられる。本実施の形態の電子カメラは、上記▲１▼および▲２▼の露出モードにおいて、すなわち、シャッタ秒時が可変の露出モードで高倍率時にシャッタ速度を速くするとともに撮像感度を高くする。
【００２０】
図２は、演算回路１０１で行われる露出演算処理の流れを説明するフローチャートである。演算回路１０１は、スイッチＳＷ１からレリーズ半押し操作信号が入力されると図２による処理を開始する。ステップＳ１１において、演算回路１０１は、設定操作部材１１１によって設定されている露出モードが上記▲１▼のプログラムＡＥ（Ｐで示す）か否かを判定する。演算回路１０１は、露出モード＝Ｐの場合にステップＳ１１を肯定判定してステップＳ１２へ進み、露出モード≠Ｐの場合にステップＳ１１を否定判定し、ステップＳ１３へ進む。
【００２１】
ステップＳ１２において、演算回路１０１は、レンズ情報検出装置１１９からの入力信号により、ズームレンズが装着されているか否かを判定する。演算回路１０１は、撮影レンズＬがズームレンズの場合にステップＳ１２を肯定判定してステップＳ１４へ進み、撮影レンズＬが非ズームレンズの場合にステップＳ１２を否定判定してステップＳ２１へ進む。
【００２２】
ステップＳ１３において、演算回路１０１は、設定操作部材１１１によって設定されている露出モードが上記▲２▼の絞り優先ＡＥ（Ａで示す）か否かを判定する。演算回路１０１は、露出モード＝Ａの場合にステップＳ１３を肯定判定してステップＳ１２へ進み、露出モード≠Ａの場合にステップＳ１３を否定判定し、ステップＳ２４へ進む。
【００２３】
ステップＳ１４において、演算回路１０１は、レンズ情報検出装置１１９からの入力信号が示すズーム環の設定値について、設定値＜１３５ｍｍが成立するか否かを判定する。演算回路１０１は、設定値＜１３５ｍｍの場合にステップＳ１４を肯定判定してステップＳ２０へ進み、設定値≧１３５ｍｍの場合にステップＳ１４を否定判定してステップＳ１５へ進む。ステップＳ２０へ進む場合は、光学ズーム倍率が所定値より低いので、通常の手持ち撮影で手ぶれが気にならない場合である。一方、ステップＳ１５へ進む場合は、光学ズーム倍率が所定値より高いので、通常の手持ち撮影では無視できない程度の手ぶれが生じる可能性が高い場合である。
【００２４】
ステップＳ１５において、演算回路１０１は、レンズ情報検出装置１１９からの入力信号が示すズーム環の設定値について、１３５≦設定値＜２００ｍｍが成立するか否かを判定する。演算回路１０１は、設定値＜２００ｍｍの場合にステップＳ１５を肯定判定してステップＳ１８へ進み、設定値≧２００ｍｍの場合にステップＳ１５を否定判定してステップＳ１６へ進む。ステップＳ１８へ進む場合は、通常のシャッタ秒時より１段速くして手ぶれを生じにくくする場合である。一方、ステップＳ１６へ進む場合は、シャッタ秒時をさらに速くする必要があるか否かを判定する場合である。
【００２５】
ステップＳ１６において、演算回路１０１は、レンズ情報検出装置１１９からの入力信号が示すズーム環の設定値について、２００≦設定値＜３００ｍｍが成立するか否かを判定する。演算回路１０１は、設定値＜３００ｍｍの場合にステップＳ１６を肯定判定してステップＳ１７へ進み、設定値≧３００ｍｍの場合にステップＳ１６を否定判定してステップＳ１９へ進む。ステップＳ１７へ進む場合は、通常のシャッタ秒時より２段速くして手ぶれを生じにくくする場合である。一方、ステップＳ１９へ進む場合は、通常のシャッタ秒時より３段速くして手ぶれを生じにくくする場合である。
【００２６】
ステップＳ１７において、演算回路１０１は、撮像感度をＩＳＯ値換算で２段階高くしてステップＳ２０へ進む。このとき、演算回路１０１は、プログラム線図計算に用いるプログラム線図を、シャッタ秒時（シャッタスピード）で２段階高速側に変更する。図３は、この状態を説明するプログラムＡＥ用のプログラム線図の例である。図３において、ＩＳＯ感度換算で１００相当（ＳＶ＝５）の撮像感度ＳＶで用いられるプログラム線図（破線で示す）が２段階高速側にシフトされている（実線で示す）。
【００２７】
たとえば、プログラム線図変更前の露出量がＥＶ＝１２であるとき、破線が示す絞り値はＦ５．６（ＡＶ＝５）、シャッタ秒時は１／１２５秒（ＴＶ＝７）である。プログラム線図変更後の実線が示すシャッタ秒時は１／５００秒（ＴＶ＝９）なので、上式（１）によって露出量ＥＶ＝ＡＶ＋ＴＶ＝１４になる。被写体輝度ＢＶを一定のまま適正露出を得るには、上式（１）によりＳＶを２段階高くする必要がある。つまり、図３の実線で示すプログラム線図は、ＩＳＯ感度４００相当（ＳＶ＝７）のプログラム線図である。
【００２８】
ステップＳ１８において、演算回路１０１は、撮像感度をＩＳＯ値換算で１段階高くしてステップＳ２０へ進む。このとき、演算回路１０１は、プログラム線図計算に用いるプログラム線図を、シャッタ秒時（シャッタスピード）で１段階高速側に変更する。
【００２９】
ステップＳ１９において、演算回路１０１は、撮像感度をＩＳＯ値換算で３段階高くしてステップＳ２０へ進む。このとき、演算回路１０１は、プログラム線図計算に用いるプログラム線図を、シャッタ秒時（シャッタスピード）で３段階高速側に変更する。
【００３０】
ステップＳ２０において、演算回路１０１は、所定のプログラム線図計算を行う。演算回路１０１は、上記▲１▼のプログラムＡＥモードの場合、測光装置１０８からの検出信号が示す被写体輝度ＢＶを用いてプログラム線図計算を行い、制御シャッタ速度および制御絞り値をそれぞれ算出する。演算回路１０１は、シャッタ制御回路１１５に制御シャッタ速度を示す情報を、絞り係止装置１１８に制御絞り値を示す情報をそれぞれ出力し、図２による処理を終了する。
【００３１】
上記▲２▼の絞り優先ＡＥモードの場合、演算回路１０１は、測光装置１０８からの検出信号が示す被写体輝度ＢＶ、ならびに絞り位置検出装置１１７からの検出信号が示す設定絞り値を用いてプログラム線図計算を行い、制御シャッタ速度を算出する。演算回路１０１は、シャッタ制御回路１１５に制御シャッタ速度を示す情報を出力し、図２による処理を終了する。
【００３２】
上述したステップＳ１２を否定判定して進むステップＳ２１において、演算回路１０１は、レンズ情報検出装置１１９からの入力信号が示す撮影レンズＬの焦点距離について、焦点距離＜１３５ｍｍが成立するか否かを判定する。演算回路１０１は、焦点距離＜１３５ｍｍの場合にステップＳ２１を肯定判定してステップＳ２０へ進み、焦点距離≧１３５ｍｍの場合にステップＳ２１を否定判定してステップＳ２２へ進む。ステップＳ２０へ進む場合は、光学ズーム倍率が所定値より低いので、通常の手持ち撮影で手ぶれが気にならない場合である。一方、ステップＳ２２へ進む場合は、光学ズーム倍率が所定値を超えるので、通常の手持ち撮影では無視できない程度の手ぶれが生じる可能性が高い場合である。
【００３３】
ステップＳ２２において、演算回路１０１は、レンズ情報検出装置１１９からの入力信号が示す撮影レンズＬの焦点距離について、１３５≦焦点距離＜２００ｍｍが成立するか否かを判定する。演算回路１０１は、焦点距離＜２００ｍｍの場合にステップＳ２２を肯定判定してステップＳ１８へ進み、焦点距離≧２００ｍｍの場合にステップＳ２２を否定判定してステップＳ２３へ進む。ステップＳ１８へ進む場合は、通常のシャッタ秒時より１段速くして手ぶれを生じにくくする場合である。一方、ステップＳ２３へ進む場合は、シャッタ秒時をさらに速くする必要があるか否かを判定する場合である。
【００３４】
ステップＳ２３において、演算回路１０１は、レンズ情報検出装置１１９からの入力信号が示す撮影レンズＬの焦点距離について、２００≦焦点距離＜３００ｍｍが成立するか否かを判定する。演算回路１０１は、焦点距離＜３００ｍｍの場合にステップＳ２３を肯定判定してステップＳ１７へ進み、焦点距離≧３００ｍｍの場合にステップＳ２３を否定判定してステップＳ１９へ進む。ステップＳ１７へ進む場合は、通常のシャッタ秒時より２段速くして手ぶれを生じにくくする場合である。一方、ステップＳ１９へ進む場合は、通常のシャッタ秒時より３段速くして手ぶれを生じにくくする場合である。
【００３５】
上述したステップＳ１３を否定判定して進むステップＳ２４において、演算回路１０１は、設定されている他の露出モードにより所定の露出演算を行い、図２による処理を終了する。
【００３６】
以上説明した実施の形態によれば、次の作用効果が得られる。
（１）電子カメラは、撮影レンズＬがズームレンズであってズーム環の設定状態が所定値より高い光学倍率に対応する場合（ステップＳ１４を否定判定）、もしくは、撮影レンズＬが望遠レンズであってその焦点距離が所定値より高い光学倍率に対応する場合（ステップＳ２１を否定判定）に、それぞれ撮像感度ＳＶを高く変更するとともにプログラム線図計算に用いるプログラム線図をシャッタ秒時（シャッタスピード）の高速側に変更するようにした。これにより、レンズ絞り値ＡＶを変えることなく高速シャッタが用いられるので、撮影者が意図した被写界深度を保ちながら、撮影時の手ぶれを生じにくくすることができる。
【００３７】
（２）ズームレンズのズーム環の設定状態、もしくは、望遠レンズの焦点距離に応じて、撮像感度およびプログラム線図の変更を段階的に行うようにしたので、変更幅を必要最小限に抑えることができる。この結果、撮像感度ＳＶを必要以上に高めることがなく、ノイズ増加を抑えた高品位の画像が得られる。
【００３８】
上述した説明では、光学倍率が所定値以上になる場合に撮像感度およびプログラム線図の変更を行うようにしたが、電子ズーム倍率が所定値以上になる場合に撮像感度およびプログラム線図の変更を行ってもよい。演算回路１０１は、設定操作部材１１１を構成する電子ズームスイッチ（不図示）がズームアップ操作もしくはズームダウン操作されると、画像処理回路１０５に指令を出して電子ズーム処理を行わせる。演算回路１０１は、電子ズームスイッチ（不図示）の操作量（たとえば、操作回数）に応じて電子ズーム倍率を変化させる。電子ズーム倍率の情報は画像処理回路１０５へ送られるとともに、演算回路１０１内のレジスタに記憶される。演算回路１０１は、たとえば、電子ズーム倍率が３倍を超えた場合に、撮像感度をＩＳＯ値換算で１段階高くするとともに、プログラム線図計算に用いるプログラム線図を１段階高速側に変更する。
【００３９】
被写体までの撮影距離が所定値以上となる場合に撮像感度およびプログラム線図の変更を行ってもよい。図４は、この場合に演算回路１０１で行われる露出演算処理の流れを説明するフローチャートである。演算回路１０１は、スイッチＳＷ１からレリーズ半押し操作信号が入力されると、図４の露出演算処理を開始する。
【００４０】
図４のステップＳ５１およびステップＳ５２による処理は、それぞれ上述したステップＳ１１およびステップＳ１３による処理と同一なので説明を省略する。ステップＳ５３において、演算回路１０１は、レンズ情報検出装置１１９からの入力信号が示す距離環の設定値について、設定値≧５ｍが成立するか否かを判定する。演算回路１０１は、設定値≧５ｍの場合にステップＳ５３を肯定判定してステップＳ５４へ進み、設定値＜５ｍの場合にステップＳ５３を否定判定してステップＳ５５へ進む。ステップＳ５５において、演算回路１０１は、レンズ情報検出装置１１９からの入力信号が示す距離環の設定値について、設定値≦５０ｃｍが成立するか否かを判定する。演算回路１０１は、設定値≦５０ｃｍの場合にステップＳ５５を肯定判定してステップＳ５４へ進み、設定値＞５０ｃｍの場合にステップＳ５５を否定判定してステップＳ５６へ進む。
【００４１】
ステップＳ５６へ進む場合は、被写体までの撮影距離が遠くない上に、マクロ撮影でもない場合であり、通常の手持ち撮影で手ぶれが気にならない場合である。一方、ステップＳ５４へ進む場合は、撮影距離が遠い、もしくは、マクロ撮影とみなされる場合で、通常の手持ち撮影では無視できない程度の手ぶれが生じる可能性が高い場合である。
【００４２】
ステップＳ５４において、演算回路１０１は、撮像感度をＩＳＯ値換算で１段階高くしてステップＳ５６へ進む。このとき、演算回路１０１は、プログラム線図計算に用いるプログラム線図を、シャッタ秒時（シャッタスピード）で１段階高速側に変更する。
【００４３】
ステップＳ５６において、演算回路１０１は、ステップＳ２０と同様のプログラム線図計算処理を行い、図４による処理を終了する。ステップＳ５２を否定判定して進むステップＳ５７において、演算回路１０１は、ステップＳ２４と同様の露出モード処理を行い、図４による処理を終了する。
【００４４】
このように、被写体までの撮影距離が所定値以上となる場合に撮像感度およびプログラム線図の変更を行うことにより、遠い被写体を撮影するとき、レンズ絞り値ＡＶを変えることなく高速シャッタが用いられるので、撮影者が意図した被写界深度を保ちながら、撮影時の手ぶれを生じにくくすることができる。これは、とくに撮影レンズＬが望遠レンズの場合に有効である。
【００４５】
上述した電子カメラは、レンズ絞り値およびシャッタ秒時の設定を変えることができるカメラを例にあげて説明したが、レンズ絞り値が固定されているカメラにも本発明を適用することができる。
【００４６】
また、電子カメラは、一眼レフタイプの電子カメラ、ならびに一眼レフでない電子カメラのいずれでもよい。
【００４７】
特許請求の範囲における各構成要素と、発明の実施の形態における各構成要素との対応について説明する。撮像装置は、たとえば、撮像素子１０２によって構成される。レンズ情報検出手段は、たとえば、レンズ情報検出装置１１９によって構成される。感度変更手段は、たとえば、撮像素子１０２およびＡ／Ｄ変換回路１０３間に配設される不図示の増幅回路によって構成される。シャッタ手段は、たとえば、シャッタ１１６によって構成される。また、シャッタ手段をいわゆる電子シャッタによって構成してもよい。露光制御手段および電子ズーム情報検出手段は、たとえば、演算回路１０１によって構成される。電子ズーム手段は、たとえば、画像処理回路１０５によって構成される。なお、本発明の特徴的な機能を損なわない限り、各構成要素は上記構成に限定されるものではない。
【００４８】
【発明の効果】
本発明による電子カメラでは、焦点距離が長いほど露光感度を高く変更したり、撮影距離が長いほど露光感度を高く変更するので、撮影時の手ぶれを生じにくくすることができる。
【図面の簡単な説明】
【図１】本発明の一実施の形態による電子カメラの構成を説明するブロック図である。
【図２】演算回路で行われる露出演算処理の流れを説明するフローチャートである。
【図３】プログラム線図の例を示す図である。
【図４】他の露出演算処理の流れを説明するフローチャートである。
【符号の説明】
１０１…演算回路、                  １０２…撮像素子、
１０３…Ａ／Ｄ変換回路、            １０４…タイミング回路、
１０５…画像処理回路、              １０６…バッファメモリ、
１０７…記録媒体、                  １０８…測光装置、
１１１…設定操作部材、              １１２…表示装置、
１１９…レンズ情報検出装置、        ＳＷ１…レリーズスイッチ
【図１】
2004187077.tif 000003
【図２】
2004187077.tif 000004
【図３】
2004187077.tif 000005
【図４】
2004187077.tif 000006